(57)【要約】【課題】どのような体格の乗客でも利用しやすく、乗客の安全性を向上させる。【解決手段】大径領域１００ｃの下方には、大径領域１００ｃより外径が小さい小径領域１００ａが配置されている。大径領域１００ｃと小径領域１００ａとの間には、大径領域１００ｃと小径領域１００ａとをつなぐテーパー形状の中間領域１００ｂが設けられている。このように、握り棒１００は、握り棒１００の上端に近づくにつれて外径が大きくなり、どのような体格の乗客にも握りやすい適切な外径が、握りやすい高さの位置に配置されている。【選択図】図２
2011056977.tif 000002
【特許請求の範囲】
【請求項１】
大径領域と、前記大径領域より外径が小さく且つ前記大径領域よりも下方に配置された小径領域とを有することを特徴とする乗物用握り棒。
【請求項２】
前記大径領域と前記小径領域との間に設けられた中間領域をさらに有しており、
前記中間領域は前記大径領域に近づくにつれて外径が漸増するテーパー形状であり、
前記中間領域の前記大径領域側に配置される一端が前記大径領域の前記中間領域側に配置される一端の外径と同外径であり且つ前記中間領域の前記小径領域側に配置される一端が前記小径領域の前記中間領域側に配置される一端と同外径であることを特徴とする請求項１に記載の乗物用握り棒。
【請求項３】
前記小径領域は、前記中間領域に近づくにつれて外径が漸増するテーパー形状であることを特徴とする請求項２に記載の乗物用握り棒。
【請求項４】
前記大径領域は、前記中間領域に近づくにつれて外径が漸減するテーパー形状であることを特徴とする請求項２又は３に記載の乗物用握り棒。
【請求項５】
前記大径領域及び前記小径領域の外形が共に円柱形状であることを特徴とする請求項１又は２に記載の乗物用握り棒。
【請求項６】
前記大径領域より外径が大きく且つ前記大径領域よりも上方に設けられた最大径領域と、
前記大径領域と前記小径領域との間に設けられた、前記大径領域より外径が小さく且つ前記小径領域より外径が大きい中径領域とをさらに有しており、
前記最大径領域と前記大径領域と前記中径領域と前記小径領域とが円柱形状であり且つ一直線状に接続されていることを特徴とする請求項１に記載の乗物用握り棒。
【請求項７】
前記大径領域及び前記小径領域を共に２つずつ有しており、
２つの前記小径領域が、前記握り棒の最下点を挟んで配置されており、
２つの前記小径領域のそれぞれの上方に前記大径領域が配置されていることを特徴とする請求項１〜４のいずれか１項に記載の握り棒。
【請求項８】
前記握り棒が複数の枝領域に分岐しており、
複数の前記枝領域のそれぞれは、前記小径領域及び前記大径領域の少なくとも一方の領域を有していることを特徴とする請求項１〜４のいずれか１項に記載の握り棒。
【請求項９】
前記大径領域及び前記小径領域が互いに異なる高さにおいて共に水平方向に延在していると共に、前記大径領域の一端と前記小径領域の一端との間に設けられた連接領域をさらに有していることを特徴とする請求項１又は２に記載の握り棒。
【請求項１０】
前記大径領域と前記小径領域とが、水平方向に関して、前記連接領域を挟んで互いに反対側に配置されていることを特徴とする請求項９に記載の握り棒。
【請求項１１】
前記大径領域、前記小径領域及び前記連接領域が共に複数設けられていることを特徴とする請求項１０に記載の握り棒。
【請求項１２】
前記握り棒の少なくとも一部が湾曲していることを特徴とする請求項１〜１１のいずれか１項に記載の乗物用握り棒。
【請求項１３】
前記大径領域の外面及び前記小径領域の外面に滑り止め加工が施されていることを特徴とする請求項１〜１２のいずれか１項に記載の乗物用握り棒。
【発明の詳細な説明】
【技術分野】
【０００１】
本発明は、乗客の転倒防止用や着席時及び立ち上がり時に利用する乗物用握り棒に関するものである。
【背景技術】
【０００２】
乗物には、スタンションポールや手摺りが設けられている。例えば、列車の加速時及び減速時や列車が曲線を通過したときの揺れから乗客の姿勢を保持するスタンションポールが、車両に設けられている。また、着席時や立ち上がり時に利用される手摺りが、車両の座席端部やロングシートの中間に設けられている。特許文献１には、車両の幅方向に複数のパイプを配置させたスタンションポールが記載されている。この構成により車両の幅方向に握り部が複数設けられるので、着座している乗客及び立っている乗客が快適にスタンションポールを利用することができる。
【先行技術文献】
【特許文献】
【０００３】
【特許文献１】特開２００６−２４０４３７号公報
【発明の概要】
【発明が解決しようとする課題】
【０００４】
スタンションポールや手摺りは、一般的に大人が握りやすい外径に作られているため、大人より体格の小さい子供には太く感じ、一方、体格の良い大人には細く感じる。このため、全ての体格の乗客に握りやすいポールとはいえない。上記特許文献１に記載されたスタンションポールでも、乗客の体格を考慮した構成にはなされていない。
【０００５】
そこで、本発明の目的は、どのような体格の乗客でも握りやすい乗物用握り棒を提供することである。
【課題を解決するための手段】
【０００６】
本発明の握り棒は、大径領域と、大径領域より外径が小さく且つ大径領域よりも下方に配置された小径領域とを有する。
【０００７】
本発明によると、体格に応じて握りやすい外径（太さ）の領域が握りやすい高さに配置されるので、どのような体格の乗客でも利用しやすい握り棒となり、乗客の安全性を向上させることができる。例えば、本発明を大人及び子供が利用しやすい握り棒とする場合、大径領域を大人が利用する領域とし、小径領域を子供が利用する領域とすることにより、乗客が快適に利用することができる。また、本発明を体格の良い大人及び標準的な体格を有する大人が利用しやすい握り棒とする場合、大径領域を体格の良い大人が利用する領域とし、小径領域を標準的な体格を有する大人が利用する領域とすることにより、乗客が快適に利用することができる。
【０００８】
また、本発明は、大径領域と小径領域との間に設けられた中間領域をさらに有しており、中間領域は大径領域に近づくにつれて外径が漸増するテーパー形状であることが好ましい。このとき、中間領域の大径領域側の一端が、大径領域の中間領域側の一端の外径と同外径であり、且つ、中間領域の小径領域側の一端が、小径領域の中間領域側の一端の外径と同外径であることが好ましい。これによると、大径領域と小径領域とをつなぐ中間領域がテーパー形状であるので、どのような体格の乗客にも利用しやすい握り棒となり、乗客の安全性をさらに向上させることができる。
【０００９】
また、このとき、小径領域は、中間領域に近づくにつれて外径が漸増するテーパー形状であることが好ましい。これによると、小径領域がさらに利用しやすい形状となり、より利用しやすい握り棒となる。
【００１０】
また、このとき、大径領域は、中間領域に近づくにつれて外径が漸減するテーパー形状であるが好ましい。これによると、大径領域がさらに利用しやすい形状となり、より利用しやすい握り棒となる。
【００１１】
また、本発明において、大径領域及び小径領域の外形が共に円柱形状であることが好ましい。これによると、乗客が安定して握り棒を掴むことができる。また、簡易な方法により握り棒を製造することができる。
【００１２】
また、本発明は、大径領域より外径が大きく且つ大径領域よりも上方に設けられた最大径領域と、大径領域と小径領域との間に設けられ、大径領域より外径が小さく且つ前記小径領域より外径が大きい中径領域とをさらに有しており、最大径領域と大径領域と中径領域と小径領域とが円柱形状であり且つ一直線状に接続されていることが好ましい。これによると、円柱形状の領域が接続されるので、簡易な方法により握り棒を製造することができる。また、複数の異なる領域を有するので、どのような体格の乗客にも利用しやすい握り棒となる。
【００１３】
また、本発明は、大径領域及び小径領域を共に２つずつ有しており、２つの小径領域が、握り棒の最下点を挟んで配置されており、２つの小径領域のそれぞれの上方に大径領域が配置されていることが好ましい。ここで、最下点とは、握り棒を乗物に設置したときに握り棒の最下位置となる箇所である。これによると、多数の乗客が握り棒を利用することができる。
【００１４】
また、別の観点として、本発明の握り棒が複数の枝領域に分岐しており、枝領域は、小径領域及び大径領域の少なくとも一方の領域を有していることが好ましい。この構成によると、分岐した領域により多数の乗客が握り棒を利用することができる。
【００１５】
また、本発明において、大径領域及び小径領域が互いに異なる高さにおいて共に水平方向に延在していると共に、大径領域の一端と小径領域の一端との間に設けられた連接領域をさらに有していることが好ましい。このとき、大径領域と小径領域とが、水平方向に関して、連接領域を挟んで互いに反対側に配置されていることが好ましい。これによると、多数の乗客が握り棒を利用することができる。
【００１６】
また、このとき、大径領域、小径領域及び連接領域が共に複数設けられていることが好ましい。これによると、より多数の乗客が握り棒を利用することができる。
【００１７】
また、本発明に係る握り棒の少なくとも一部が湾曲していることが好ましい。これによると、握り棒を乗物に設置しやすくなる。
【００１８】
また、本発明において、大径領域の外面及び小径領域の外面に滑り止め加工が施されていることが好ましい。これによると、乗客が確実に握り棒を掴むことができるので、乗客の安全性をより向上させることができる。
【発明の効果】
【００１９】
本発明の握り棒によると、どのような体格の乗客にも握りやすい外径（太さ）の領域が握りやすい高さに配置されているので、どのような体格の乗客でも利用しやすい握り棒となり、乗客の安全性を向上させることができる。
【図面の簡単な説明】
【００２０】
【図１】本発明の第１実施形態による握り棒の正面図である。
【図２】図１に示す本発明の第１実施形態による握り棒の部分拡大図である。
【図３】本発明の第２実施形態による握り棒の正面図である。
【図４】図３に示す握り棒の部分拡大図である。
【図５】本発明の第３実施形態による握り棒の正面図である。
【図６】図５に示す握り棒の部分拡大図である。
【図７】本発明の第４実施形態による握り棒の正面図である。
【図８】（ａ）〜（ｅ）は本発明の変形例による握り棒の部分拡大図である。
【図９】本発明の変形例による握り棒の正面図である。
【図１０】図７に示す握り棒の部分拡大図である。
【図１１】本発明の変形例による握り棒の斜視図である。
【図１２】本発明の変形例による握り棒の正面図である。
【図１３】本発明の変形例による握り棒の正面図である。
【図１４】本発明の変形例による握り棒の正面図である。
【発明を実施するための形態】
【００２１】
以下、本発明の好適な実施形態について、図面を参照しつつ説明する。
【００２２】
<第１実施形態>
ここでは、図１，２を用いて、本発明に係る握り棒の第１実施形態を説明する。本実施の形態においては、握り棒を鉄道車両に設けている（図１）。なお、図１においては、車両内における握り棒の配置を主に示しており、握り棒を除く部材の記載を省略している。
【００２３】
図１に示すように、車両１０の両側に、座席１が設けられており、両側の座席１は互いに対向している。座席１は、車両１０の長手方向に延在するロングシートであり、車両１０の両側壁の各々に接設されている。対向する座席１の間には、車両１０の高さ方向に延在した２本の握り棒１００が設けられている。
【００２４】
（握り棒１００）
図１に示すように、２本の握り棒１００は、車両１０の中央を挟んで車両１０の幅方向に所定の間隔だけ離隔して設けられている。本実施形態におけるこの所定の間隔とは、乗客が２名ほどゆとりをもって立つことができる間隔である。また、握り棒１００と座部１ａの先端との間にも一定の間隔が設けられている。
【００２５】
握り棒１００は、一直線状の長尺状の棒であり、車両１０の高さ方向（上下方向）に延在している。握り棒１００の上端及び下端の各々には受け具２が取付けられており、受け具２により握り棒１００の上端及び下端が車両１０の天井及び床のそれぞれに固定されている。握り棒１００には、鉄パイプなどの金属棒などを用いることができる。なお、握り棒１００は、金属棒に限られず、硬性の樹脂等を用いてもよい。また、受け具２には、アジャスターなどの金属受け具を使用することができる。
【００２６】
次に、図２を参照しつつ握り棒１００の形状について詳細に説明する。図２に示すように、握り棒１００は、子供が握りやすい小径領域１００ａと、大人が握りやすい大径領域１００ｃと、小径領域１００ａと大径領域１００ｃとの間に設けられた中間領域１００ｂと、握り棒１００を下方から支持する支持部１０１ａと、握り棒１００を上方から支持する支持部１０１ｂとを有する。支持部１０１ａ、小径領域１００ａ、中間領域１００ｂ、大径領域１００ｃ及び支持部１０１ｂは、上方に向けて順に配置されており、一直線状に連接されている。また、支持部１０１ａ、小径領域１００ａ、中間領域１００ｂ、大径領域１００ｃ及び支持部１０１ｂはともに高さ方向に延在している。本実施の形態においては、支持部１０１ａ、小径領域１００ａ、大径領域１００ｃ及び支持部１０１ｂが円柱形状であり、中間領域１００ｂがテーパー形状である。
【００２７】
小径領域１００ａは、子供が握りやすい外径（太さ）の円柱状に形成されている。大径領域１００ｃは、大人が握りやすい外径（太さ）の円柱状に形成されており、小径領域より小さな外径である。中間領域１００ｂは、大径領域１００ｃに近づくにつれて（上方に向かって）外径が連続的に漸増するテーパー状に形成されており、小径領域１００ａと大径領域１００ｃとを接続している。中間領域１００ｂの下端は小径領域１００ａの外径と同外径であり、中間領域１００ｂの上端は大径領域１００ｃの外径と同外径である。中間領域のテーパー形状は、例えば、スウェージング加工などを施すことにより形成される。
【００２８】
支持部１０１ａは、小径領域１００ａの下方に配置されており、小径領域１００ａの下端の外径と同外径の円柱形状である。支持部１０１ａ及び小径領域１００ａを連接すると、支持部１０１ａの下端から小径領域１００ａの上端までが円柱状になる。支持部１０１ｂは大径領域１００ｃの上方に配置されており、大径領域１００ｃの上端の外径と同外径の円柱形状である。支持部１０１ｂ及び大径領域１００ｃを連接すると、大径領域１００ｃの下端から支持部１０１ｂの上端までが円柱状になる。
【００２９】
握り棒１００を構成する支持部１０１ａ、小径領域１００ａ、中間領域１００ｂ、大径領域１００ｃ及び支持部１０１ｂの各々の一端の外径は、上述のように、接合される他の領域又は支持部の一端の外径と同外径である。このため、握り棒１００は、上端から下端まで、外径が連続し、外径が階段状に変化しない。
【００３０】
小径領域１００ａ及び大径領域１００ｃの外径は、例えば、小径領域１００ａの外径を約２５ｍｍとし、大径領域１００ｃの外径を３２ｍｍとすることが好ましい。なお、小径領域１００ａ及び大径領域１００ｃの外径は、上述の外径に限られず、さらに大きな外径又はさらに小さな外径としてもよい。
【００３１】
また、各領域は、以下の高さに配置されていることが好ましい。小径領域１００ａは、握り棒１００の下端から約３００ｍｍの高さから約６００ｍｍの高さに配置されることが好ましい。大径領域１００ｃは、握り棒１００の下端から約９００ｍｍの高さから約１４００ｍｍの高さに配置されることが好ましい。中間領域１００ｂは、小径領域１００ａと大径領域１００ｃとの間の、握り棒１００の下端から約６００ｍｍの高さから約９００ｍｍの高さに配置され、大人及び子供が利用しやすい高さに配置されることが好ましい。また、支持部１０１ａは、床（握り棒１００の下端）から約３００ｍｍの高さまでに配置されることが好ましく、支持部１０１ｂは、握り棒１００の下端から約１４００ｍｍの高さから天井（握り棒１００の上端）までの高さに配置されることが好ましい。なお、支持部１０１ａ、小径領域１００ａ、中間領域１００ｂ、大径領域１００ｃ及び支持部１０１ｂが配置される位置は、上述の位置に限られない。
【００３２】
以上に述べたように、本実施の形態の握り棒１００によると下記の効果を奏する。本実施の形態においては、小径領域１００ａが、子供が握りやすい外径に形成されていると共に子供が握りやすい高さに配置されている。また、大径領域１００ｃが、大人が握りやすい外径に形成されていると共に大人が握りやすい高さに配置されている。このように、体格に応じて握りやすい外径（太さ）の領域が握りやすい高さに配置されているので、どのような体格の乗客でも利用しやすい握り棒１００となり、乗客の安全性を向上させることができる。
【００３３】
また、中間領域１００ｂが、小径領域１００ａと大径領域１００ｃとをつなぐテーパー形状であるので、大人及び子供が利用することができ、より利用しやすい握り棒１００となる。
【００３４】
なお、小径領域１００ａと中間領域１００ｂとの間、中間領域１００ｂと大径領域１００ｃとの間、小径領域１００ａと支持部１０１ａとの間、及び大径領域１００ｃと支持部１０１ｂとの間に、さらに他の領域を設けてもよい。この領域は、上述の各領域及び支持部と異なる外径としてもよく、円柱形状又はテーパー形状としてもよい。なお、新たに設ける領域の両端の外径は接合される他の領域又は支持部の一端の外径と同外径とすることが好ましい。これにより、体格に応じた握りやすい外径（太さ）の領域が増加するので、より利用しやすい握り棒となる。
【００３５】
また、支持部１０１ａを小径領域１００ａの外径より大きな円柱形状又はテーパー形状としてもよい。これにより、握り棒１００の重心が安定するので、握り棒１００が安定して車両１０に設置される。また、同様に、支持部１０１ｂを大径領域１００ｃと異なる外径としてもよい。なお、支持部１０１ａ，１０１ｂを設けることなく、小径領域１００ａを下端まで延在させたり、大径領域１００ｃを上端まで延在させたりしてもよい。 
【００３６】
さらに、本実施の形態においては、小径領域１００ａを子供が握りやすい領域とし、大径領域１００ｃを大人が握りやすい領域として、各領域及び支持部の外径及び配置される高さなどを調整したが、小径領域１００ａ及び大径領域１００ｃは上述の構成に限られない。例えば、小径領域１００ａを標準的な体格の大人が握りやすい領域とし、大径領域１００ｃを体格の良い大人が握りやすい領域として、各領域の外径及び配置される高さを調整してもよい。このように、利用する乗客に応じて小径領域１００ａと大径領域１００ｃとの外径及び配置させる位置を変えることができる。
【００３７】
なお、握り棒１００を設置する位置及び設置する本数は、図１に示す位置及び本数に限られない。例えば、複数の握り棒１００を車両１０の長手方向に所定の間隔だけ離隔して設けてもよい。また、２本の握り棒１００をさらに近接させて設けてもよい。
【００３８】
<第２実施形態>
続いて、本発明に係る握り棒２５０の第２実施形態を、図３，４を参照しつつ説明する。本実施の形態においても、握り棒２５０を車両（鉄道車両）２０に設けている。また、図３では、第１実施形態と同様に、車両２０内における握り棒２５０の配置を主に示しており、握り棒２５０を除く部材の記載を省略している。なお、第１実施形態と同様なものに関しては、同符号で示し説明を省略する。また、握り棒２５０には、第１実施形態と同様な金属棒を使用することができる。
【００３９】
車両２０では、本実施形態における握り棒２５０が、車体幅の中間付近に設けられており、車両２０の天井に固設されている。また、図４に示すように、握り棒２５０と車両２０の床との間には支持棒２１０が配置されており、握り棒２５０が支持棒２１０により下方から支持されている。また、第１実施形態における握り棒１００と同様に、握り棒２５０の上端には受け具２が取り付けられており、受け具２により握り棒２５０の上端が車両２０の天井及び床のそれぞれに固定されている。
【００４０】
（握り棒２５０）
図４に示すように、握り棒２５０は、第１実施形態における支持部１０１ｂ、小径領域１００ａ、中間領域１００ｂ、大径領域１００ｃ及び支持部１０１ｂの代わりに、緩やかに湾曲した、２つの支持部２０１ｂ、２つの小径領域２００ａ、２つの中間領域２００ｂ及び２つの大径領域２００ｃを有しており、第１実施形態における支持部１０１ａを有していない。また、握り棒２５０を車両２０に設置したとき、支持部２０１ｂと小径領域２００ａと中間領域２００ｂと大径領域２００ｃとが略上下方向（車両２０の高さ方向）に延在し、小径領域２００ａと中間領域２００ｂと大径領域２００ｃと支持部２０１ｂとが、上方に向けて順に配置される。
【００４１】
握り棒２５０は、支持部２０１ｂ、大径領域２００ｃ、中間領域２００ｂ、２つの小径領域２００ａ、中間領域２００ｂ、大径領域２００ｃ及び支持部２０１ｂが一端から他端まで順に直列に連接されてなり、２つの小径領域２００ａの中間を中心としてＵ字状に曲げられている。握り棒２５０は、握り棒２５０の両端に配置された大径領域２００ｃが共に２つの小径領域２００ａより上方に配置されるように、車両２０に設けられている。２つの小径領域２００ａの中間である曲げの中心は、握り棒２５０の最下点２５２となり、２つの小径領域２００ａは、最下点２５２を挟んで、互いに反対側に配置されている。ここで、最下点２５２とは、握り棒２５０を車両２５に設置したときに握り棒２５０の最下位置となる箇所である。
【００４２】
２つの小径領域２００ａのそれぞれの上方には、中間領域２００ｂ、大径領域２００ｃ及び支持部２０１ｂが順に上方に向けて配置されている。２つの小径領域２００ａ、２つの中間領域２００ｂ、２つの大径領域２００ｃ、２つの支持部２０１ｂ、及び後述する２つの領域２００は、最下点２５２を通り且つ車両２０の高さ方向に延在する図示しない直線を中心に左右対称に配置されている。
【００４３】
本実施の形態においては、握り棒２５０の両端、すなわち、２つの支持部２０１ｂのそれぞれの上端が、握り棒２５０の最上位置となる。支持部２０１ｂの上端には、受け具２が取り付けられており、受け具２により支持部２０１ｂの上端（握り棒２５０の両端）が天井に固定されている。そして、支持部２０１ｂが、握り棒２５０（小径領域２００ａ、中間領域２００ｂ、大径領域２００ｃ）を上方から支持している。
【００４４】
小径領域２００ａ、中間領域２００ｂ、大径領域２００ｃ及び支持部２０１ｂは共にテーパー状に形成されており、それぞれ太さが異なる。なお、２つの小径領域２００ａ、２つの中間領域２００ｂ、２つの大径領域２００ｃ及び２つの支持部２０１ｂはそれぞれ同形状のテーパー形状である。本実施の形態における小径領域２００ａ、中間領域２００ｂ及び大径領域２００ｃは、第１実施形態における小径領域１００ａ、中間領域１００ｂ及び大径領域１００ｃと同様に、小径領域２００ａを子供が握りやすい領域とし、大径領域２００ｃを大人が握りやすい領域とし、中間領域２００ｂを大人及び子供が握りやすい領域としている。小径領域２００ａは、上端が中間領域２００ｂの下端の外径と同外径であるとともに、下端が中間領域２００ｂの下端の外径より小さい外径であり、中間領域２００ｂに近づくにつれて外径が連続的に漸増するテーパー形状である。また、小径領域２００ａは、大径領域２００ｃより外径が小さい。中間領域２００ｂは、上端が大径領域２００ｃの下端の外径と同外径であり、大径領域２００ｃに近づくにつれて外径が連続的に漸増するテーパー形状である。大径領域２００ｃは、上端が支持部２０１ｂの下端の外径と同外径であり、支持部２０１ｂに近づくにつれて外径が連続的に漸増するテーパー形状である。支持部２０１ｂは、下端が大径領域２００ｃの上端の外径と同外径であり、上端が大径領域２００ｃの上端の外径より大きい外径であり、大径領域２００ｃに近づくにつれて外径が連続的に漸減するテーパー形状である。なお、小径領域２００ａの下端及び支持部２０１ｂの上端は、小径領域２００ａ及び支持部２０１ｂが緩やかなテーパー状となるような外径としている。そして、握り棒２５０を車両２０に設置したとき、小径領域２００ａ、中間領域２００ｂ、大径領域２００ｃ及び支持部２０１ｂは共に上方に向けて外径が漸増する。
【００４５】
小径領域２００ａ、中間領域２００ｂ、大径領域２００ｃ及び支持部２０１ｂの一端は、これらに接続される他の領域又は支持部２０１ｂの一端の外径と同外径であるので、握り棒２５０の一端から握り棒２５０の中央（２つの小径領域２００ａの接続位置）までが、握り棒２５０の中央に向けて外径が連続的に漸減するテーパー形状となっている。また、握り棒２５０の中央から握り棒２５０の他端までの領域も、同様に、握り棒２５０の他端に向けて外径が連続的に漸増するテーパー形状となっている。なお、握り棒２５０の中央は、最小外径となっている。握り棒２５０のテーパー形状は、第１実施形態と同様に、スウェージング加工などを施すことにより形成される。
【００４６】
（支持棒２１０）
本実施の形態においては、支持棒２１０と握り棒２５０が接続されている。支持棒２１０は、上端が２つの小径領域２００ａの接続位置（最下点２５２を含む）に接続されており、接続された上端から下方へ延在している。支持棒２１０の下端には、受け具２が取り付けらており、受け具２により支持部２１０の下端が床に固定されている。握り棒２５０は、支持棒２１０により、車両２５の床にも固定される。
【００４７】
（握り棒２５０と支持棒２１０が接続された一連の棒（握り棒）２８０）
握り棒２５０と支持棒２１０が接続された一連の棒２８０は、支持棒２１０の上端から２つの領域２００に分岐している。ここで、領域２００は、小径領域２００ａ、中間領域２００ｂ、大径領域２００ｃ及び支持部２０１ｂを有している。大径領域２００ｃは小径領域２００ａの上方に配置され、中間領域２００ｂは小径領域２００ａと大径領域２００ｃとの間に配置され、支持部２０１ｂは大径領域２００ｃの上方に配置されている。そして、小径領域２００ａ、中間領域２００ｂ、大径領域２００ｃ及び支持部２０１ｂが、上方へ向けて順に連接されている。領域２００は、略ノの字状に緩やかに湾曲しながら上方へ延在しており、上端が天井に固定されている。
【００４８】
小径領域２００ａ、中間領域２００ｂ、大径領域２００ｃ及び支持部２０１ｂは上述のように上方に向けて外径が漸増するテーパー形状であり、これらを連接させた領域２００は、上端から下端まで、領域２００の下端（支持棒２１０）に近づくにつれて外径が連続的に漸減するテーパー形状である。なお、２つの領域２００は、握り棒２５０の分岐点（支持棒２１０の上端）を通り且つ車両２０の高さ方向に延在する図示しない直線を中心に左右対称に配置されている。
【００４９】
本実施の形態においては、小径領域２００ａに約２５ｍｍの外径が含まれ、大径領域２００ｃに約３２ｍｍの外径が含まれることが好ましい。例えば、小径領域２００ａ、中間領域２００ｂ、大径領域２００ｃ及び支持部２０１ｂを以下の外径とすることができる。小径領域２００ａは、下端の外径が約２４ｍｍであり、上端の外径が約２７ｍｍである。中間領域２００ｂは、下端の外径が約２７ｍｍであり、上端の外径が約３０ｍｍである。大径領域２００ｃは、下端の外径が約３１ｍｍであり、上端の外径が約３４ｍｍである。支持部２０１ｂは、下端の外径が約３４ｍｍであり、上端の外径が約３６ｍｍである。
【００５０】
また、本実施の形態においては、握り棒２５０を車両２０に設置したときに、小径領域２００ａを子供が握りやすい高さに配置させ、大径領域２００ｃを大人が握りやすい位置に配置させ、中間領域２００ｂを小径領域２００ａと大径領域２００ｃとの間の、子供及び大人が握りやすい位置に配置させることが好ましい。例えば、第１実施形態における高さと同様な高さが挙げられる。
【００５１】
なお、小径領域２００ａ、中間領域２００ｂ、大径領域２００ｃ及び支持部２０１ｂ、支持棒２１０の外径及び配置される位置は、上述の外径及び位置に限られず、適宜変更することができる。
【００５２】
以上に述べたように、本実施の形態の握り棒２５０，２８０においても、第１実施形態と同様な効果を得ることができる。また、最下点２５２を挟んで、２つの小径領域２００ａ、２つの中間領域２００ｂ、２つの大径領域２００ｃ及び２つの領域２００が配置されているので、多数の乗客が握り棒２５０を利用することができる。さらに、小径領域２００ａ、中間領域２００ｂ、大径領域２００ｃ及び領域２００がテーパー形状であるので、どのような体格の乗客にもより利用しやすい握り棒２５０となる。
【００５３】
また、本実施の形態においては、支持棒２１０により握り棒２５０が下方から支持されているので、握り棒２５０が安定して車両２０に固設される。なお、本実施の形態においては、握り棒２５０の下方に支持棒２１０を設けているが、支持棒２１０を設けない構成としてもよい。
【００５４】
また、本実施の形態においては、小径領域２００ａ，中間領域２００ｂ、大径領域２００ｃ及び支持部２０１ｂに、湾曲状の領域及び支持部が用いたが、曲折した領域及び支持部や一直線状の領域及び支持部を用いてもよい。
【００５５】
<第３実施形態>
続いて、本発明に係る握り棒２６０の第３実施形態を、図５，６を参照しつつ説明する。本実施の形態においても、握り棒を車両（鉄道車両）２５に設けている。また、図５では、第１実施形態と同様に、車両２５内における握り棒２６０の配置を主に示しており、握り棒２６０を除く部材の記載を省略している。なお、第１実施形態と同様なものに関しては、同符号で示し説明を省略する。また、握り棒２６０には、第１実施形態と同様な金属棒を使用することができる。
【００５６】
本実施の形態においても、第２実施形態と同様に、握り棒２６０が、車体幅の中間付近に設けられている。図５に示すように、握り棒２６０は、中央付近から下方へ向けて２方向に分岐した逆略Ｙ字状の棒である。また、第１実施形態における握り棒１００と同様に、握り棒２６０の上端及び下端は、受け具２により車両２５の天井及び床のそれぞれに固定されている。
【００５７】
（握り棒２６０）
図６に示すように、握り棒２６０は、領域２６３の下端から下方へ２つの枝領域２６２に分岐している。領域２６３は、中間領域２６０ｂ、大径領域２６０ｃ及び支持部２６１ｂを有している。中間領域２６０ｂ、大径領域２６０ｃ及び支持部２６１ｂは、上方に向けて順に配置されている。２つの枝領域２６２は共に、領域２６３の下方に配置されており、小径領域２６０ａ及び支持部２６１ａを有している。小径領域２６０ａは支持部２６１ａの上方に配置されている。
【００５８】
（領域２６３）
中間領域２６０ｂ、大径領域２６０ｃ及び支持部２６１ｂは、上方に向けて順に一直線状に連接されている。中間領域２６０ｂ、大径領域２６０ｃ及び支持部２６１ｂは、握り棒２６０を車両２５に設置したとき、握り棒２６０の上端に近づくにつれて外径が連続的に漸増するテーパー形状であり、いずれも異なるテーパー形状である。
【００５９】
中間領域２６０ｂ及び大径領域２６０ｃは、第１実施形態における中間領域１００ｂ及び大径領域１００ｃと同様に、中間領域２００ｂを大人及び子供が握りやすい領域とし、大径領域２００ｃを大人が握りやすい領域としている。中間領域２６０ｂは、上端が大径領域２６０ｃの下端の外径と同外径であり、下端が大径領域２６０ｃの下端より外径が小さく、大径領域２６０ｃに近づくにつれて外径が連続的に漸増するテーパー状に形成されている。大径領域２６０ｃは、上端が支持部２６１ｂの下端と同外径であり、支持部２６１ｂに近づくにつれて外径が連続的に漸増するテーパー状に形成されている。支持部２６１ｂは、下端が大径領域２６０ｃの上端の外径と同外径であり、大径領域２６０ｃに近づくにつれて外径が連続的に漸減するテーパー状に形成されている。
【００６０】
このように、中間領域２６０ｂ、大径領域２６０ｃ及び支持部２６１ｂの一端は、接続される中間領域２６０ｂ、大径領域２６０ｃ又は支持部２６１ｂの一端の外径と同外径であるので、領域２６３は、上端から下端まで下方（枝領域２６２）に向けて外径が連続的に漸減するテーパー形状となる。なお、領域２６３のテーパー形状は、第１実施形態と同様に、スウェージング加工などを施すことにより形成される。
【００６１】
（枝領域２６２）
２つの枝領域２６２は、共に、領域２６３の下端から分岐した同形状の領域であり、小径領域２６０ａと支持部２６１ａとが下方へ向けて順に連接された円柱形状である。小径領域２６０ａ及び支持部２６１ａは共に同外径の円柱状であり、支持部２６１ａ及び小径領域２６０ａが一直線状に連接されている。なお、小径領域２６０ａは、第１実施形態における小径領域１００ａと同様に、子供が握りやすい領域としている。また、支持部２６１ａは下方から握り棒２６０を支持している。なお、本実施の形態においては、枝領域２６２が、一直線状の領域であるが、湾曲した領域としてもよい。また、小径領域２６０ａ及び支持部２６１ａをテーパー状に変形してもよい。
【００６２】
支持部２６１ａの下端及び支持部２６１ｂの上端には、第１実施形態と同様な受け具２が取り付けられており、受け具２により、支持部２６１ａの下端が床に固定され、支持部２６１ｂの上端が天井に固定されている。
【００６３】
以上に述べたように、本実施の形態の握り棒２６０においても、第１実施形態と同様な効果を得ることができる。また、領域２６３から分岐した２つの枝領域２６２がいずれも小径領域２６０ａを有しているので、異なる方向から多数の子供が握り棒２６０を利用することができる。
【００６４】
なお、本実施の形態にかかる握り棒２６０は、領域２６３の下端から２方向へ分岐しているが、３以上の方向へ分岐させてもよい。また、枝領域２６２は、中間領域２６０ｂや大径領域２６０ｃを有していてもよい。これにより、より多数の乗客が握り棒を利用することができる。
【００６５】
また、握り棒２６０の分岐点は、本実施の形態における位置に限られない。例えば、握り棒２６０の分岐点をさらに上方に位置させると共に、枝領域２６２に大径領域２６０ｃ、中間領域２６０ｂ及び小径領域２６０ａを下方へ向けて順に設けてもよい。これにより、さらに多数の乗客が握り棒を利用することができる。
【００６６】
また、本実施の形態において、握り棒２６０が、枝領域２６２の上端又は領域２６３の途中から上方へ分岐する構成としてもよい。さらに、握り棒の分岐点が、小径領域２６０ａ、中間領域２６０ｂ又は大径領域２６０ｃの途中に設けられることにより、小径領域２６０ａ、中間領域２６０ｂ又は大径領域２６０ｃが分岐する構成としてもよい。
【００６７】
<第４実施形態> 
続いて、本発明に係る握り棒の第４実施形態を、図７を参照しつつ説明する。本実施の形態においても、握り棒３００を車両３０に設けている。また、第１実施形態と同様に、図７では、鉄道車両内における握り棒の配置を主に示しており、握り棒を除く部材の記載を省略している。なお、第１実施形態と同様なものに関しては、同符号で示し説明を省略する。
【００６８】
本実施形態における握り棒３００は、荷棚６より少し下方において水平方向（車両３０の長手方向）に延在している。握り棒３００は、車両３０の天井から保持棒３５０により吊り下げられており、吊り手の代わりに利用することができる。また、乗客の乗降に利用される扉５の左右両隣には握り棒４００が設けられている。なお、握り棒３００，４００及び保持棒３５０には、第１実施形態における握り棒１００と同様な金属棒を使用することができる。
【００６９】
（握り棒３００）
図７に示すように、握り棒３００は、大径領域３００ｂと、大径領域３００ｂの斜め下方に配置された小径領域３００ａと、大径領域３００ｂと小径領域３００ａとの間に設けられた連接領域３１０とを有しており、大径領域３００ｂ、小径領域３００ａ及び連接領域３１０を共に複数有する。ここで、連接領域３１０は、近接する大径領域３００ｂの一端と小径領域３００ａの一端との間に設けられており、近接する大径領域３００ｂと小径領域３００ａと接続している。そして、大径領域３００ｂと小径領域３００ａとが、水平方向に関して、連接領域３１０を挟んで互いに反対側に配置されており、複数の大径領域３００ｂと小径領域３００ａとが、連接領域３１０を挟んで水平方向に連続して配置されている。
【００７０】
大径領域３００ｂと小径領域３００ａとは共に円柱形状であり、いずれも水平方向（車両３０の長手方向）に延在している。小径領域３００ａは、大径領域３００ｂより外径が小さく、大径領域３００ｂより下方に配置されている。本実施の形態においては、全ての小径領域３００ａが同じ高さに配置され、全ての大径領域３００ｂが同じ高さに配置されている。
【００７１】
また、本実施の形態においては、小径領域３００ａ及び大径領域３００ｂを共に大人が握りやすい領域としており、いずれの領域も、大人が握りやすい高さ、例えば、吊り手の握り部の高さ付近に配置されている。なお、小径領域３００ａを標準的な体格の大人が握りやすい外径（太さ）とし、大径領域３００ｂを体格の良い大人が握りやすい外径（太さ）としている。また、小径領域３００ａを標準的な大人が握りやすい高さ（吊り手の握り部の高さ）に配置させ、大径領域３００ｂを体格の良い大人が握りやすい高さである小径領域３００ａより少し上方に配置させている。なお、小径領域３００ａ及び大径領域３００ｂの外径は、例えば、小径領域３００ａの外径を約３２ｍｍとし、大径領域３００ｂの外径を約３５ｍｍとすることが挙げられる。
【００７２】
連接領域３１０は、図７（拡大図）に示すように、大径領域３００ｂの一端と小径領域３００ａの一端とを接続する。図７（拡大図）において、右側の連接領域３１０は、大径領域３００ｂの右端と小径領域３００ａの左端とを接続しており、左側の連接領域３１０は、小径領域３００ａの右端と大径領域３００ｂの左端とを接続している。なお、小径領域３００ａと大径領域３００ｂとの高さが異なるため、連接領域３１０は水平方向に対して傾斜しながら大径領域３００ｂと小径領域３００ａとを接続している。
【００７３】
連接領域３１０は、大径領域３００ｂに近づくにつれて（連接領域３１０の上端に近づくにつれて）外径が連続的に漸増するテーパー状に形成されている。連接領域３１０の上端（大径領域３００ｂと接続される一端）は大径領域３００ｂの外径と同外径であり、連接領域３１０の下端（小径領域３００ａと接続される一端）は小径領域３００ａの外径と同外径である。連接領域３１０のテーパー形状は、第１実施形態における加工と同様に、スウェージング加工等を施すことにより形成することができる。なお、本実施の形態においては、連接領域３１０を、テーパー形状としたが、外径を変化させない円柱形状としてもよい。
【００７４】
（保持棒３５０）
握り棒３００は、２本の保持棒３５０によって天井に固設されている。２本の保持棒３５０は、下端が握り棒３００の両端のそれぞれに接続されており、接続された下端から上方（車両３０の高さ方向）へ延在している。保持棒３５０の上端には受け具２が取り付けられており、この受け具２により保持棒３５０が天井に固定されている。保持棒３５０は、車両３０の天井から荷棚６までの長さより少し長い長さの棒である。なお、保持棒３５０を握り棒３００の中央付近にさらに設け、３本の保持棒３５０により握り棒３００を天井に固定することによって、握り棒３００がより安定して天井に固設される。
【００７５】
また、保持棒３５０は、本実施の形態における長さに限られず、適宜変更することができる。握り棒３００は、保持棒３５０の長さを変えることにより配置される高さが変わるので、例えば、保持棒３５０をさらに長くすることにより握り棒３００をさらに下方に配置させることができる。これにより、さらに多数の乗客が握り棒３００を利用することができる。なお、握り棒３００及び保持棒３５０は、金属棒に限られず、ゴムやプラスチックなどの樹脂やベルト等を使用してもよい。
【００７６】
また、本実施の形態においては、握り棒３００を、荷棚６や座席（ロングシート）１の長手方向の長さより少し長尺な長さとしたが、握り棒３００はこの長さに限られない。また、握り棒３００の長さに合わせて、小径領域３００ａ及び大径領域３００ｂの長さや数を適宜変更してもよい。
【００７７】
（握り棒４００）
握り棒４００は、扉５に隣接する壁に設けられており、上下方向（車両３０の高さ方向）に延在している。握り棒４００の下端は座部１ａの上端付近の高さに配置されており、握り棒４００の上端は扉５の上端付近の高さに配置されている。また、握り棒４００の上端および下端には図示しない受け具が設けられており、受け具により握り棒４００が壁に固定されている。握り棒４００は、第１実施形態に係る小径領域１００ａと中間領域１００ｂと大径領域１００ｃとの代わりに、小径領域４００ａと中間領域４００ｂと大径領域４００ｃとを有しており、第１実施形態における支持部１０１ａ，１０１ｂとを有していない。小径領域４００ａ、中間領域４００ｂ及び大径領域４００ｃは、上方に向けて順に配置されている。また、小径領域４００ａ、中間領域４００ｂ及び大径領域４００ｃが一直線状に連接されている。
【００７８】
小径領域４００ａ、中間領域４００ｂ及び大径領域４００ｃは共に、第１実施形態に係る小径領域１００ａ、中間領域１００ｂ及び大径領域１００ｃと同様に、小径領域４００ａを子供が握りやすい領域とし、大径領域４００ｃを大人が握りやすい領域とし、中間領域４００ｂを小径領域４００ａと大径領域４００ｃとの間の、大人と子供が握りやすい領域としている。また、小径領域４００ａ、中間領域４００ｂ及び大径領域４００ｃは、第２実施形態に係る小径領域２００ａ、中間領域２００ｂ及び大径領域２００ｃと同様なテーパー形状としている。すなわち、小径領域４００ａは、上端が中間領域４００ｂの下端の外径と同外径であるとともに、下端が中間領域４００ｂの下端の外径より小さい外径であり、中間領域４００ｂに近づくにつれて外径が連続的に漸増するテーパー形状である。また、小径領域４００ａは、大径領域４００ｃより外径が小さい。中間領域４００ｂは、上端が大径領域４００ｃの下端の外径と同外径であり、大径領域４００ｃに近づくにつれて外径が連続的に漸増するテーパー形状である。大径領域４００ｃは、下端が中間領域４００ｂの上端の外径と同外径であり、中間領域４００ｂに近づくにつれて外径が連続的に漸増するテーパー形状である。なお、小径領域４００ａ、中間領域４００ｂ及び大径領域４００ｃは湾曲しておらず、これらを連接した握り棒４００は、上方に向けて外径が連続的に漸増するテーパー形状となっている。
【００７９】
なお、小径領域４００ａと中間領域４００ｂと大径領域４００ｃとの外径及び配置される高さは、例えば、第１実施形態における小径領域１００ａ、中間領域１００ｂ及び大径領域１００ｃや第２実施形態における小径領域２００ａ、中間領域２００ｂ及び大径領域２００ｃと同様な外径や配置される高さとすることができる。
【００８０】
以上に述べたように、本実施の形態の握り棒３００，４００によると、第１実施形態と同様な効果が得られる。また、握り棒３００によると、握りやすい形状の領域が好適な高さに配置されるとともに水平方向にこれらの領域が複数配置されているので、多数の乗客が握り棒を利用することができる。
【００８１】
また、本実施の形態においては、連接領域３１０が、大人が握りやすい太さ（外径）に形成されていると共に大人が握りやすい高さに配置されている。このため、連接領域３１０を、小径領域３００ａ及び大径領域３００ｂと同様に、握り部の一部（中間領域）として利用することができる。
【００８２】
さらに、握り棒４００は、下端から上端まで上方に向かって外径が連続的に漸増するテーパー状であるので、どのような体格の乗客にも利用しやすい。
【００８３】
なお、本実施の形態において、大径領域３００ｂと小径領域３００ａとを水平方向に関してさらに近接させてもよい。これにより乗客が利用できる領域（大径領域３００ｂ及び小径領域３００ａ）をさらに増やすことができる。また、本実施の形態においては、全ての小径領域３００ａを同外径の円柱とすると共に同じ高さに配置しているが、小径領域３００ａは大径領域３００ｂより外径が小さく且つ大径領域３００ｂの下方に配置される限り、複数の小径領域３００ａを互いに、異なる外径としたり、異なる高さへ配置させたりしてもよい。また、大径領域３００ｂも、同様に、異なる外径としたり、異なる高さへ配置させたりしてもよい。
【００８４】
また、握り棒３００を吊り手の代わりに設けているが、握り棒３００と吊り手とを併用してもよい。また、本実施の形態においては、小径領域３００ａ及び大径領域３００ｂは共に大人が握りやすい領域としているが、例えば、小径領域３００ａを子供が握りやすい領域とし、大径領域３００ｂを大人が握りやすい領域として、小径領域３００ａをさらに下方に配置させてもよい。これにより、子供から大人までどのような体格の乗客でも利用することができる。この場合、連接棒をさらに下方へ延在させることが好ましい。
【００８５】
さらに、本実施の形態においては、握り棒３００を保持棒３５０により天井に固定しているが、握り棒の両端のそれぞれを荷棚６の両端のそれぞれに固定してもよい。
【００８６】
続いて、上述の第１実施形態に係る握り棒の変形例を説明する。なお、第１実施形態と同様なもの（特に、小径領域１００ａ，中間領域１００ｂ，大径領域１００ｃ）に関しては、同符号で示し説明を省略する。また、握り棒の上端及び下端には第１実施形態と同様に受け具２が取り付けられており、受け具２により握り棒の上端及び下端のそれぞれが乗物の天井及び床に固定されている。さらに、以下に説明する握り棒のテーパー形状は、第１実施形態の中間領域１００ｂと同様にスウェージング加工などにより形成される。そして、以下の変形例における握り棒も第１実施形態と同様に鉄パイプなどの金属棒を用いることができる。なお、以下の変形例においては、小径領域を子供が握りやすい領域とし、大径領域を大人が握りやすい領域とし、中間領域を子供と大人がともに握りやすい領域としている。
【００８７】
ここでは、第１実施形態に係る握り棒１００の変形例１〜５を、図８を参照しつつ説明する。なお、図８に示すように、握り棒は高さ方向（上下方向）に延在しており、また、握り棒の上端及び下端のそれぞれが乗物の天井及び床に固定されている。
【００８８】
<変形例１>
変形例１にかかる握り棒５００は、図８（ａ）に示すように、第１実施形態における円柱形状の大径領域１００ｃ及び支持部１０１ｂの代わりに、テーパー状の大径領域５００ｃ及びテーパー状の支持部５０１ｂを有する。大径領域５００ｃ及び支持部５０１ｂは共に上方に向けて（握り棒５００の上端に近づくにつれて）外径が連続的に漸増するテーパー形状である。大径領域５００ｃは、上端が支持部５０１ｂの下端と同外径であり、下端が中間領域１００ｂの上端の外径と同外径であり、中間領域１００ｂに近づくにつれて外径が漸減するテーパー形状である。支持部５０１ｂは、下端が大径領域５００ｃの外径と同外径であり、大径領域５００ｃに近づくにつれて外径が漸増するテーパー形状である。このように、握り棒５００は、支持部５０１ｂの上端から中間領域１００ｂの下端まで小径領域１００ａに近づくにつれて外径が連続的に漸減するテーパー形状である。なお、大径領域５００ｃの上端及び支持部５０１ｂの上端の外径は、特に限定されず、本変形例においては、大径領域５００ｃ及び支持部５０１ｂが緩やかなテーパー形状となるような外径としている。
【００８９】
この構成によると、第１実施形態と同様な効果が得られる。また、大径領域５００ｃが握り棒５００の上端に近づくにつれて外径が連続的に漸増するテーパー形状であるため、大径領域５００ｃがさらに利用しやすい領域となり、より利用しやすい握り棒５００となる。また、支持部５０１ｂの上端が太いため、握り棒５００が安定して天井に固定される。
【００９０】
<変形例２>
次に、変形例２に係る握り棒６００を、図８（ｂ）を参照しつつ説明する。変形例２における握り棒６００は、図８（ｂ）に示すように、第１実施形態における円柱形状の小径領域１００ａ及び円柱形状の支持部１０１ａの代わりに、テーパー形状の小径領域６００ａ及びテーパー形状の支持部６０１ａを有する。小径領域６００ａは、大径領域１００ｃに近づくにつれて外径が連続的に漸増するテーパー形状である。支持部６０１ａは小径領域６００ａに近づくにつれて外径が連続的に漸減するテーパー形状である。
【００９１】
小径領域６００ａは、上端が中間領域１００ｂの下端の外径と同外径であり、下端が支持部６０１ａの上端の外径と同外径であり、中間領域１００ｂに近づくにつれて外径が連続的に漸増するテーパー状に形成されている。小径領域６００ａには、子供が握りやすい外径、例えば２５ｍｍの外径が含まれることが好ましい。
【００９２】
支持部６０１ａは、上端が小径領域６００ａの下端の外径と同外径である。支持部６０１ａの下端の外径は、特に限定されず、支持部６０１ａが緩やかなテーパー形状となるような外径としている。なお、支持部６０１ａの下端は、図８（ｂ）に示す外径に限定されず、さらに大きな外径としてもよい。
【００９３】
このように、握り棒６００は、小径領域６００ｂの下端から中間領域１００ｂの上端まで大径領域１００ｃに近づくにつれて外径が連続的に漸増するテーパー形状である。
【００９４】
この構成によると、第１実施形態と同様な効果が得られる。また、小径領域６００ａが握り棒６００の下端に近づくにつれて外径が連続的に漸減するテーパー形状であるため、小径領域６００ａがさらに利用しやすい領域となり、より利用しやすい握り棒６００となる。また、支持部６０１ａの下端が太いため、握り棒６００の重心が安定すると共に握り棒６００が安定して床に固定される。
【００９５】
なお、第１実施形態における小径領域１００ａ、中間領域１００ｂ、大径領域１００ｃ、支持部１０１ａ及び支持部１０１ｂと、変形例１における大径領域５００ｃ及び支持部５０１ｂと、変形例２における小径領域６００ａ及び支持部６０１ａとを適宜組み合わせてもよい。例えば、図８（ｃ）に示すような変形例３にかかる握り棒７００としてもよい。
【００９６】
<変形例３>
変形例３にかかる握り棒７００は、変形例２に支持部６０１ａ及び小径領域６００ａと、第１実施形態における中間領域１００ｂと、変形例１にかかる大径領域５００ｃ及び支持部５０１ｂとを有する。そして、支持部６０１ａと小径領域６００ａと中間領域１００ｂと大径領域５００ｃと支持部５０１ｂとが、上方に向けて（握り棒７００の上端に近づくにつれて）順に配置されており、一直線状に連接されている。ここで、各領域の一端の外径は接続される他の領域の一端と同外径となっている。すなわち、支持部６０１ａの上端は小径領域６００ａの下端の外径と同外径である。また、小径領域６００ａの上端は中間領域１００ｂの下端の外径と同外径である。また、中間領域１００ｂの上端は大径領域５００ｃの下端の外径と同外径である。また、大径領域５００ｃの上端は支持部５０１ｂの下端の外径と同外径である。支持部６０１ａ、小径領域６００ａ、中間領域１００ｂ、大径領域５００ｃ及び支持部５０１ｂを上述のような外径としているので、握り棒７００は、小径領域６００ａの下端から支持部５０１ｂの上端まで握り棒７００の上端に近づくにつれて外径が連続的に漸増するテーパー形状となっている。そして、小径領域６００ａの下端（支持部１００１ａの上端）が、最小の外径となる。
【００９７】
この構成によると、握り棒７００は、小径領域６００ａの下端から大径領域５００ｃの上端まで外径が連続するテーパー形状となるので、どのような体格の乗客にも利用しやすい握り棒７００となる。また、支持部６０１ａが太いので、握り棒７００の重心が安定するとともに、握り棒７００を安定して乗物に設置することができる。
【００９８】
<変形例４> 
続いて、変形例４における握り棒８００を、図８（ｄ）を参照しながら説明する。変形例４における握り棒８００は、第１実施形態にかかる小径領域１００ａ及び大径領域１００ｃと中径領域８００ｂと最大径領域８００ｄとを有しており、第１実施形態にかかる中間領域１００ｂ及び支持部１０１ａ，１０１ｂを有していない。そして、小径領域１００ａと中径領域８００ｂと大径領域１００ｃと最大径領域８００ｄとが、上方に向けて順に配置されており、一直線状に連接されている。
【００９９】
中径領域８００ｂと最大径領域８００ｄとは、小径領域１００ａ及び大径領域１００ｃと同様に円柱形状である。中径領域８００ｂは、大径領域１００ｃより外径が小さく且つ小径領域１００ａより外径が大きな外径であり、大径領域１００ｃと小径領域１００ａとの間に設けられている。最大径領域８００ｄは大径領域１００ｃより外径が大きく且つ大径領域１００ｃよりも上方に設けられている。本変形例においては、中径領域８００ｂを大人と子供が握りやすい領域とし、最大径領域８００ｄを大人（体格の良い大人）が握りやすい領域としている。各領域の外径として、例えば、小径領域１００ａの外径を約２５ｍｍとし、中径領域８００ｂに外径を約２７．５ｍｍとし、大径領域１００ｃの外径を約３０ｍｍとし、最大径領域８００ｄの外径を約３２．５ｍｍとすることが挙げられるが、このような外径に限られない。
【０１００】
また、本変形例においては、小径領域１００ａを子供が握りやすい高さに配置させ、大径領域１００ｃを大人が握りやすい高さに配置させ、中径領域８００ｂを小径領域１００ａと大径領域１００ｃとの間の、子供と大人が握りやすい高さに配置させ、最大径領域８００ｄを体格の良い大人が握りやすい高さに配置させることが好ましい。
【０１０１】
なお、各領域の外径及び配置される高さは、上述の外径及び高さに限られず、適宜変更することができる。
【０１０２】
握り棒８００は、例えば、以下の方法により製造することができる。小径領域１００ａ，中径領域８００ｂ，大径領域１００ｃ及び最大径領域８００ｄのそれぞれの外径を有した４種類の金属棒を用意し、この金属棒を溶接などにより順に接合する。ここで、４種類の金属棒は、小径領域１００ａ，中径領域８００ｂ，大径領域１００ｃ及び最大径領域８００ｄとなるように配置させる。また、４種類の金属棒は、接合された握り棒８００が一直線状になるように連接する。なお、４種類の金属棒のそれぞれは外径が異なるので、金属棒と金属棒との接合部において、外径の大きな一方の金属棒の外周縁に角が残る。そこで、外周縁に面取り加工などを施し、外周縁をＲ状にすることが好ましい。なお、握り棒８００として利用する棒は、金属棒に限られない。
【０１０３】
本変形例によると、第１実施形態と同様な効果が得られる。また、４種類の体格に応じた利用しやすい領域を有するため、どのような体格の乗客も利用しやすくなる。また、全て円柱形状であるため、テーパー形状の握り棒と比較して簡易な方法により握り棒を製造することができる。さらに、握り棒８００が円柱形状であるため、乗客が安定して握り棒８００を掴むことができる。
【０１０４】
また、本変形例においては外径の異なる４種類の領域を接合しているがさらに異なる外径の領域を追加してもよい。例えば、小径領域８００ａと中径領域８００ｂとの間に小径領域８００ａより外径が大きく且つ中径領域８００ｂより外径が小さな領域を設けてもよい。また、中径領域８００ｂと大径領域８００ｃとの間に中径領域８００ｂより外径が大きく且つ大径領域８００ｃより外径が小さな領域を設けてもよい。
【０１０５】
<変形例５>
また、変形例４における中径領域８００ｂ及び最大径領域８００ｄの少なくとも一方の領域を設けない握り棒としてもよい。例えば、図８（ｅ）に示すような変形例５にかかる握り棒９００としてもよい。変形例５にかかる握り棒９００は、変形例４における小径領域８００ａ及び大径領域８００ｃの代わりに、円柱状の小径領域９００ａ及び大径領域９００ｃを有しており、変形例４に係る中径領域８００ｂ及び最大径領域８００ｄを有していない。
【０１０６】
小径領域９００ａは、第１実施形態における小径領域１００ａと同じ外径であり、第１実施形態における小径領域１００ａより少し長い円柱状に形成されている。また、大径領域９００ｃは、第１実施形態における大径領域１００ｃと同じ外径であり、第１実施形態における大径領域１００ｃのより長い円柱状に形成されている。
【０１０７】
小径領域９００ａ及び大径領域９００ｃは第４変形例と同様に溶接などにより接合されている。また、接合された大径領域９００ｃの一端の外縁に面取り加工などを施し、外縁をＲ状にしている。この構成により、簡易な方法により握り棒９００を製造できるとともに、どのような体格の乗客にも利用しやすい握り棒９００となる。
【０１０８】
なお、変形例１〜５に係る握り棒５００，６００，７００，８００，９００は、長さや外径などを適宜変更することができる。また、変形例１〜５に係る握り棒５００，６００，７００，８００，９００を、第４実施形態における握り棒４００の代わりに用いてもよい。
【０１０９】
<第６変形例>
次に、車両１０１０に設けた握り棒の変形例６を、図９，１０を参照しつつ説明する。なお、本変形例においては、握り棒の外径の変化を明確にするため変形例３に係る握り棒７００と同様な外径であるテーパー状の握り棒１０００を使用している。また、本変形例においては、第１実施形態に係る２本の握り棒１００と同様に、対向する座席１の間に２本の握り棒１０００を設けており、握り棒１０００は車両１０１０の中央を挟んで所定の間隔だけ離隔して設けられている。
【０１１０】
本変形例においては、図９に示すように、変形例３に係る握り棒７００の代わりに、弓状に湾曲した握り棒１０００を用いている。車両１０１０には、２本の握り棒１０００が、車両１０１０の幅方向に所定の間隔だけ離れて配置されており、握り棒１０００の弓形の頂上が互いに対向するように設けられている。握り棒１０００は、変形例３にかかる直線状の支持部６０１ａ，５０１ｂ、小径領域６００ａ、中間領域１００ｂ、大径領域５００ｃ及び支持部の代わりに、図１０に示すように、これらを湾曲させた、支持部１００１ａ，１００１ｂ、小径領域１０００ａ、中間領域１０００ｂ、大径領域１０００ｃを有している。特に、支持部１００１ａ，１００１ｂが略楕円状に湾曲しており、小径領域１０００ａ、中間領域１０００ｂ及び大径領域１０００ｃが緩やかに湾曲している。支持部１００１ａ、小径領域１０００ａ、中間領域１０００ｂ、大径領域１０００ｃ及び支持部１００１ｂは、上方に向けて順に配置されており、一本の棒状になるように連接されている。
【０１１１】
支持部１００１ａは、上端が小径領域１０００ａの下端の外径と同外径であり、小径領域１０００ａに近づくにつれて外径が連続的に漸減するテーパー形状である。小径領域１０００ａは、上端は中間領域１０００ｂの下端の外径と同外径であり、中間領域１０００ｂ（大径領域１０００ｃ）に近づくにつれて外径が漸増するテーパー形状である。中間領域１０００ｂは、上端が大径領域１０００ｃの下端の外径と同外径であり、大径領域１０００ｃに近づくにつれて外径が漸増するテーパー形状である。大径領域１０００ｃは、上端が支持部１００１ｂの下端の外径と同外径であり、中間領域１０００ｂ（小径領域１０００ａ）に近づくにつれて外径が漸減するテーパー形状である。支持部１００１ｂは、下端が大径領域１０００ｃの上端の外径と同外径であり、大径領域１０００ｃに近づくにつれて外径が漸減するテーパー形状である。小径領域１０００ａ、中間領域１０００ｂ、大径領域１０００ｃ及び支持部１００１ｂは上述のような外径であるので、握り棒１０００の小径領域６００ａの下端から支持部５０１ｂの上端までは、握り棒１０００の上端に近づくにつれて外径が連続的に漸増するテーパー状となっている。そして、小径領域６００ａの下端（支持部１００１ａの上端）が、最小外径となる。
【０１１２】
変形例６によると、変形例３にかかる握り棒７００と同様な効果が得られる。また、握り棒１０００が湾曲しているので、乗物の形状や通路の幅に合わせて握り棒１０００を乗物に設置しやすくなる。さらに、本変形例においては握り棒１０００の下端が座席１側へ湾曲しているので、握り棒１０００の下端が２本の握り棒１０００の間を通る乗客の障害になりにくい。
【０１１３】
<変形例７>
次に、上述の変形例１に係る握り棒５００を湾曲させた握り棒１２００，１３００に係る変形例７を、図１１を参照しつつ説明する。なお、変形例７にかかる握り棒の支持部、小径領域、中間領域及び大径領域のそれぞれは、変形例１にかかる支持部１０１ａ，５０１ｂ、小径領域１００ａ、中間領域１００ｂ及び大径領域５００ｃのそれぞれと同様なテーパー形状であるので、変形例７にかかる握り棒の支持部、小径領域、中径領域及び大径領域のそれぞれの符号及び説明を省略する。
【０１１４】
本変形例においては、図１１に示すように、握り棒１２００が座席（ロングシート）１の長手方向に関する両端の各々に隣接して設けられおり、握り棒１３００が座席１の中央付近を跨ぐように設けられている。また、第４実施形態にかかる握り棒４００が扉５の左右両隣のそれぞれに設けられている。握り棒１２００，１３００は、変形例３にかかる握り棒５００と同様な形状の握り棒を略弓状に湾曲させた棒であり、握り棒１２００，１３００の下端から握り棒１２００，１３００を構成する小径領域の上端付近までが緩やかに湾曲しており、握り棒１２００，１３００を構成する中間領域の下端付近から握り棒１２００，１３００の上端までが略楕円状に湾曲している。
【０１１５】
握り棒１２００は、略弓状の頂点が上方に向くように車両に設けられている。握り棒１２００の上端は、背部７から上方へ延設した車両の壁に受け具２を介して固定されており、背部７の上端と荷棚６との中間付近に固定されている。握り棒１２００の下端は略Ｌ字状に屈曲しており（図示せず）、この屈曲した先端を座席１の底部に固定することにより握り棒１２００の下端を座席１の底部に固定している。なお、握り棒１２００の下端は、車両の床に固定されてもよく、また、座席１の端部に設けられた袖仕切り８に取り付けられてもよい。
【０１１６】
握り棒１３００は、握り棒１２００と同様に、略弓状の頂点が上方に向くように車両に設けられている。握り棒１３００の上端は、握り棒１２００の上端と同様に、背部７から上方へ延設した車両の壁に受け具２を介して固定されており、背部７の上端と荷棚６との中間付近に固定されている。また、握り棒１３００の下端は、車両の床に受け具２により固定されている。なお、握り棒１３００の下端は、握り棒１２００の下端と同様に、座席１の底部に固定されてもよい。これにより座席１の中間を仕切る中間袖仕切りの代わりとなる。
【０１１７】
握り棒１２００，１３００を車両に設置したとき、握り棒１２００，１３００を構成する小径領域が、子供が握りやすい高さに配置されることが好ましい。また、握り棒１２００，１３００を構成する大径領域が、大人が握りやすい高さに配置されることが好ましい。さらに、握り棒１２００，１３００を構成する中間領域が、子供及び大人が握りやすい高さに配置されることが好ましい。また、握り棒１２００，１３００の外径及び形状（長さ、湾曲形状）は、図１１に示す外径及び形状（長さ、湾曲形状）に限られず、適宜変更することができる。
【０１１８】
握り棒１２００，１３００によると、変形例３と同様な効果が得られる。また、握り棒１２００，１３００を、立っている乗客だけでなく、座席１へ座るとき及び座席１から立ち上がるときに利用できる。また、握り棒１２００，１３００を湾曲させることにより、車両に設けられた部材に適合する好適な形状とすることができると共に車両に設置しやすくなる。
【０１１９】
<第８変形例> 
続いて、上述の第１実施形態に係る握り棒の変形例８を、図１２を参照しつつ説明する。変形例８における握り棒１１０は、図１２に示すように、第１実施形態における握り棒１００の小径領域１００ａ、中間領域１００ｂ及び大径領域１００ｃに滑り止め加工が施されている。小径領域１００ａ、中間領域１００ｂ及び大径領域１００ｃの外面は、滑り止め加工により図示しない凹凸形状１５０が形成されている。なお、本変形例においては滑り止め加工が小径領域１００ａ、中間領域１００ｂ及び大径領域１００ｃに施されているが、小径領域１００ａ及び大径領域１００ｃにのみ滑り止め加工を施してもよい。また、支持部１０１ａ，１０１ｂに滑り止め加工を施し、握り棒１００の全外面に滑り止め加工を施してもよい。滑り止め加工として、例えば、握り棒の外面に凹凸形状を形成するエッチング加工、シリコン樹脂などをコーティングするコーティング加工及びゴム状のシールを貼り付ける貼り付け加工が挙げられるが、これらの方法に限られない。
【０１２０】
この構成によると、第１実施の形態に係る握り棒１００と同様な効果を得ることができる。また、滑り止め加工により形成された凹凸形状１５０により乗客が確実に握り棒１１０を掴むことができるので、乗客の安全性をより向上させることができる。さらに、上述の第２実施形態、第３実施形態、第４実施形態及び変形例１〜７にかかる握り棒の外面に、上述と同様な滑り止め加工を施してもよい。これにより、握り棒１１０と同様な効果が得られる。
【０１２１】
以上、本発明の好適な実施の形態及び変形例について説明したが、本発明は上述の実施の形態及び変形例に限られるものではなく、特許請求の範囲に記載した限りにおいて様々な変更が可能なものである。例えば、変形例１〜５においては握り棒のみの説明を行ったが、変形例１〜５における握り棒を第１実施形態における握り棒のように車両等の乗物に設置してもよい。また、変形例１〜５における握り棒を変形例６，７にかかる握り棒のように湾曲させてもよい。また、握り棒を設置する位置及び設置する本数等は、本実施の形態及び変形例に示した位置及び本数等に限られず、適宜変更することができる。
【０１２２】
また、本実施の形態及び変形例においては、小径領域の下方及び大径領域の上方に握り棒を支持する支持部を設けたが、支持部を設けることなく、小径領域を握り棒の下端まで延在させたり、大径領域を握り棒の上端まで延在させたりしてもよい。
【０１２３】
また、本実施の形態及び変形例においては、各領域及び支持部のテーパー形状として、外径が連続的に変化するテーパー形状を用いたが、外径が階段状に変化するテーパー形状としてもよい。
【０１２４】
また、第２実施形態にかかる握り棒２５０においては、支持棒２１０を設けることにより握り棒２５０を下方から支持したが、支持棒２１０を設けない構成としてもよい。例えば、図１３に示すようなＵ字状の握り棒１１５０を用いてもよい。
【０１２５】
図１３に示すように、握り棒１１５０は、第２実施形態における握り棒２５０をＵ字状に湾曲させた棒である。なお、握り棒１１５０は、第２実施形態における握り棒２５０と形状が異なることを除いては握り棒２５０と同様な構成を有しており、同様なものに関しては符号及び説明を省略する。図１３に示すように、握り棒１１５０の最下位置には最下点１１５２が位置しており、最下点１１５２を挟んで２つの小径領域が互いに反対側に配置されている。また、２つの小径領域の上方には中間領域、大径領域及び支持部が上方に向けて順に配置されている。また、握り棒１１５０の一端から小径領域の接続位置（最下点１１５２を含む）までは下方に向けて（小径領域の接続位置に近づくにつれて）外径が連続的に漸減するテーパー形状であり、握り棒１１５０の小径領域の接続位置（最下点１１５２を含む）から他端までは上方に向けて（握り棒１１５０の他端に近づくにつれて）外径が連続的に漸増するテーパー形状である。このような構成としても、第２実施形態における握り棒２５０と同様な効果が得られる。
【０１２６】
また、第２実施形態に係る握り棒２５０及び図１３に示す握り棒１１５０において、２つの小径領域２００ａの間に、最下点（握り棒の最小位置）を有する領域をさらに設けてもよい。
【０１２７】
また、第４実施形態にかかる握り棒３００においては、小径領域３００ａ、大径領域３００ｂ及び連接領域３１０が共に複数設けられているが、小径領域３００ａ、大径領域３００ｂ及び連接領域３１０が共に単数設けられた構成としてもよい。このような構成とすることにより、例えば、２〜３人掛け用の座席の上方に設けることができる。
【０１２８】
さらに、第４実施形態において握り棒３００を吊り手の代わりに使用したが、握り棒３００の使用方法は吊り手の代わり用いる方法に限られない。例えば、図１４に示すように、握り棒１３００を、第４実施形態において設置した高さより低い位置に設けることにより手摺りとして使用してもよい。図１４においては、握り棒１３００を大人の腰の高さ付近に設けている。
【０１２９】
図１４に示すように、握り棒１３００は、窓と握り棒４００との間に水平方向（車両の長手方向）に延在して設けられている。窓は、座席２１と荷棚６１との間に設けられている。握り棒４００は、扉５の隣に設けられた第４実施形態に係る握り棒４００である。握り棒１３００は、第４実施形態にかかる握り棒３００と同様に、小径領域３００ａ、大径領域３００ｂ及び連接領域３１０を有しており、第４実施形態に係る握り棒３００より小径領域３００ａ、大径領域３００ｂ及び連接領域３１０の数が少ない。また、第４実施形態にかかる握り棒３００と同様に、小径領域３００ａと大径領域３００ｂとが、水平方向に関して、連接領域３１０を挟んで互いに反対側に設けられており、小径領域３００ａが大径領域３００ｂより下方に配置されている。握り棒１３００は、第４実施形態に係る握り棒３００より短く、窓と握り棒４００との間に設けられた領域に収まる長さに形成されている。
【０１３０】
本変形例においては、小径領域３００ａが立っている子供が握りやすい高さに配置されており、大径領域３００ｂが立っている大人が握りやすい高さ（手を下に伸ばした状態で握りやすい高さ）に配置されている。このような高さに握り棒１３００を配置させることにより、座席２１と扉５との間に立つ乗客が握り棒１３００を好適に利用することができる。なお、握り棒１３００の両端には受け具２が取り付けられており、受け具２により握り棒１３００の両端が車両の壁に固定されている。このように、握り棒１３００を設置する高さを変えることにより、どのような体格の乗客にも利用しやすい握り棒１３００となる。
【０１３１】
なお、上述の実施形態及び変形例においては、握り棒を、車両に設けたが、車両に限られず様々な乗物に採用することができる。
【符号の説明】
【０１３２】
１  座席
３１０  連接領域  
１００，１１０，２５０，２６０，２８０，３００，４００，５００，６００，７００，８００，９００，１０００，１１００，１１５０，１２００，１３００  握り棒
１００ａ，２００ａ，３００ａ，４００ａ，６００ａ，８００ａ，９００ａ，１０００ａ，  小径領域
１００ｂ，２００ｂ，２６０ｂ，４００ｂ，１０００ｂ，  中間領域
１００ｃ，２００ｃ，２６０ｃ，３００ｂ，４００ｃ，５００ｃ，８００ｃ，９００ｃ，１０００ｃ  大径領域
８００ｂ  中径領域
８００ｄ  最大径領域
２５２，１１５２  最下点
２００，２６３  領域
２６２  枝領域
２１０  支持棒
１５０  凹凸形状
【図１】
2011056977.tif 000003
【図２】
2011056977.tif 000004
【図３】
2011056977.tif 000005
【図４】
2011056977.tif 000006
【図５】
2011056977.tif 000007
【図６】
2011056977.tif 000008
【図７】
2011056977.tif 000009
【図８】
2011056977.tif 000010
【図９】
2011056977.tif 000011
【図１０】
2011056977.tif 000012
【図１１】
2011056977.tif 000013
【図１２】
2011056977.tif 000014
【図１３】
2011056977.tif 000015
【図１４】
2011056977.tif 000016